(57)【要約】      （修正有）【課題】来客時に食器の使用数量が普通よりも多くなっても、食器水切り篭の大きさを普通に使用するときのままで、収容可能な食器水切り篭を提供する。【解決手段】引き出し式食器水切り篭を作ることにより、来客時に食器の使用数量が多くなったときには引き出し部２を必要に合わせて引き出して両方の食器水切り籠を使用して普段のほぼ２倍までの食器を収容可能にする方法で解決する。この引き出し式食器水切り籠にする方法は、基本部トレー６と引き出し部トレー５が必要で、引き出し部トレー５は引き出し部２に着脱自在に接続して同時に動く構造が必要である。食器水切り水が常時溜まっている状態では引き出し部２を動かした時に引き出し部トレー５に溜まった水がこぼれる虞があるので、引き出し部トレー５の後方に排水穴５ａを設けて引き出し部トレー５で受けた食器水切り水はこの排水穴５ａから流れ落ちて基本部トレー６に溜める構造にする方法で解決する。【選択図】図１
2005312844.tif 000002
【特許請求の範囲】
【請求項１】
引き出し式食器水切り籠を普段は引き出し部を収納した状態で置き場スペースを小さくして基本部の食器水切り籠のみを使用するが、来客時に食器の使用数量が多くなった時には引き出し部を必要に合わせて引き出すことにより水切り籠の容積を拡大して食器の収容量を増やすことができる特徴がある引き出し式食器水切り籠。
【請求項２】
請求項１に係る引き出し式食器水切り籠の水受トレーは、基本部トレーと引き出し部トレーを設けて、引き出し部トレーは引き出し部に着脱自在に接続してガイドに沿って同時に動く構造であり、引き出し部トレーの後方には排水穴を設けて引き出し部トレーで受けた食器水切り水はこの排水穴から流れ落ちて基本部トレーに溜める特徴がある引き出し式食器水切り籠。
【発明の詳細な説明】
【技術分野】
【０００１】  本発明は、洗った食器の水切りをするための食器水切り籠に関するものである。
【背景技術】
【０００２】  洗った食器の水切りをするための方法としては、一定の大きさのプラスチック製籠へ洗った食器を入れて水切りする方法、一定の大きさのステンレス製籠や網棚に置いて水切りする方法が一般的である。【０００３】  しかし、普段に使用する食器の種類と数はおおよそ決まっているので、家族の人数に合わせて食器水切り籠の大きさは一定の大きさがあれば足りるのであるが、来客時には食器を普段よりも多く必要とするので食器水切り籠の大きなものが必要になる。【０００４】  来客時を想定して大きな食器水切り籠を普段から使用するのは置き場所の問題から不便である。
【発明の開示】
【発明が解決しようとする課題】
【０００５】  普段に使用する食器の種類と数はおおよそ決まっているので食器水切り籠の大きさは一定の大きさがあれば足りるのであるが、来客時には食器を普段よりも多く必要とするので、食器水切り籠の大きなものが必要になる。【０００６】  そこで、普段に使用する食器水切り籠のままで、来客時に食器の使用数量が多くなっても対応可能に収容できる食器水切り籠が望まれる。
【課題を解決するための手段】
【０００７】  引き出し式食器水切り籠を普段は引き出し部を基本部の中へ収納した状態で置き場スペースを小さくして基本部の食器水きり籠のみを使用するが、来客時に食器の使用数量が多くなったときには引き出し部を必要に合わせて引き出して両方の食器水切り籠を使用して普段のほぼ２倍までの食器を収容可能にする方法で解決する。【０００８】  引き出し式食器水切り籠にする方法では、水受のための基本部トレーと引き出し部トレーが必要で、引き出し部トレーは引き出し部に着脱自在に接続してガイドに沿って同時に動く構造が必要であり、引き出し部トレーには食器水切り水が常時溜まっている状態では引き出し部を動かした時に引き出し部トレーに溜まった水がこぼれる虞があるので、引き出し部トレーの後方に排水穴を設けて引き出し部トレーで受けた食器水切り水はこの排水穴から流れ落ちて基本部トレーに溜める構造にする方法で解決することで、トレーに溜まった水を捨てるのは基本部トレーのみでよい利点がある。
【発明の効果】
【０００９】  本発明は、普段は小さいスペースの食器水切り籠を使用して、来客時に食器の使用数量が増えた場合には引き出し部を必要に合わせて引き出してほぼ２倍までの食器を収容でき、トレーで受けた食器水切り水は全て基本部トレーに溜まるので、引き出し部を動かした場合でも引き出し部トレーには溜まった水がないので、水がこぼれることはなく、食器水切り水を捨てるのも基本部トレーに溜まった水のみでよい利点がある。
【発明を実施するための最良の形態】
【００１０】  本発明を流し台の上、適当な台の上、適当な机の上において食器水切り籠として普段は小さい置き場スペースで基本部を使用し、来客時に食器の使用数量が増えたときには引き出し部を必要に合わせて引き出して使用する。用が済めば引き出し部を基本部の中へ収納して置き場スペースを小さくして使用する。
【実施例１】
【００１１】  図１は、本発明の１実施例の引き出し部を最大引き出した時の略斜視姿図である。図２は、引き出し部を最大引き出した時の略斜視図で、籠を略面で表現している。以下水きり籠は略面として表現する。図３は、引き出し部を収納した時の略斜視図である。【００１２】  普段使用する食器水きり籠基本部１の下側へ引き出し部２が略ガイドに沿って収納出来る構造で、引き出し部側面４は基本部袖部３の中へ収納する。【００１３】  引き出し部トレー５は、引き出し部底面下部に着脱自在に接続し、引き出し部食器水切り水を受ける構造で、引き出し部とともに動き、引き出し部２を最大引き出した状態では、基本部１の食器水切り水は基本部トレー６で受け、引き出し部食器水切り水は引き出し部トレー５で受けて、引き出し部トレー排水穴５ａから下へ流れ落ちて基本部トレー６に溜まる構造になっている。【００１４】    引き出し部２を全て収納した状態では、基本部１食器水切り水は引き出し部トレー５で受けて排水穴５ａから下へ流れ落ちて基本部トレー６に溜まることになる。引き出し部２を途中まで引き出した状態では、基本部１を引き出し部２が一部分さえぎっている状態であるので、引き出し部２の上から落ちた食器水切り水は一旦引き出し部トレー５で受けて前述したように排水穴５ａから下へ流れ落ちて基本部トレー６に溜まることになり、引き出し部２がさえぎっていない基本部１から落ちた食器水切り水は直接に基本部トレー６に落ちて溜まることになる。【００１５】  図４は、引き出し部２を最大引き出した時の略平面図で、引き出し部トレー５と基本部トレー６には重なり部分があり、引き出し部トレー５排水穴５ａは、基本部トレー６で受ける位置になっている。引き出し部２を最大引き出した時でも、引き出し部２を全て収納した時でも、引き出し部２を中間へ引き出した時でも、排水穴５ａから流れ落ちる水は全て基本部トレー６に溜まる構造になっている。【００１６】  図５は、引き出し部トレー５と基本部トレー６の説明図である。図６は、Ａ−Ａ断面図による説明図で、図７は、Ｂ−Ｂ断面図による説明図である。
【図面の簡単な説明】
【００１７】
【図１】引き出し部を最大引き出した時の斜視姿図である。
【図２】引き出し部を最大引き出した時の略斜視図である。
【図３】引き出し部を収納した時の略斜視図である。
【図４】引き出し部を最大引き出した時の略平面図である。
【図５】引き出し部トレー及び基本部トレーの略平面図である。
【図６】Ａ−Ａ断面図である。
【図７】Ｂ−Ｂ断面図である。
【符号の説明】
【００１８】  １    普段使用する食器水切り籠「基本部」
２    食器使用数量が増えたときに引き出して使用する食器水切り籠「引き出し部」
３    引き出し部側面を収容する「袖部」
４    引き出し部「側面」
５    引き出し部トレー
５ａ  引き出し部トレー「排水穴」
６    基本部トレー
【図１】
2005312844.tif 000003
【図２】
2005312844.tif 000004
【図３】
2005312844.tif 000005
【図４】
2005312844.tif 000006
【図５】
2005312844.tif 000007
【図６】
2005312844.tif 000008
【図７】
2005312844.tif 000009